(57)【要約】 【解決手段】    側マチを有しない形態の鞄で、上マチ部と下マチ部が谷状に折れ曲がる鞄であり、鞄の側面は上マチ部と下マチ部と表面部と裏面部の各々の延長部分が合わさっている形状である鞄。【効果】  上マチ部と下マチ部が谷状に折れ曲がって薄く折りたたまれる鞄であって、表面部や裏面部に折れ線がつかない効果がある。しかも側面部に延長部分が合わさっており、あたかも紙風船のような形状を有しているため、意匠的に高い美観を有しながら、薄く折りたたむことができる機能的な鞄を提供する。【選択図】    図１
2005040530.tif 000002
【特許請求の範囲】
【請求項１】
少なくとも上マチ部と下マチ部と表面部と裏面部とを有する鞄であって、
上マチ部と下マチ部の左右両端をそれぞれ側面に延長して表面部と裏面部の側縁に接合し、
該上マチ部と下マチ部の延長部分を先細り形状に形成されることを特徴とする鞄。
【請求項２】
上マチ部と下マチ部の延長部分の形状を表面側の側縁と裏面側の側縁が等角度で傾斜する先細り形状とし、
上マチ部延長部分の先端と下マチ部延長部分の先端が接する形状であることを特徴とする請求項１に記載の鞄。
【請求項３】
表面部と裏面部の左右両端に、それぞれ側面への延長部分を有し、該延長部分は上マチ部側の側縁と下マチ部側の側縁が等角度で傾斜する先細り形状を有し、
表面部延長部分の先端と裏面部延長部分の先端は、それぞれ両側面の上マチ部延長部分と下マチ部延長部分との接点で、接する形状であることを特徴とする請求項１または２のいずれかに記載の鞄。
【請求項４】
下マチ部及び／又は上マチ部に、表面側の側縁と裏面側の側縁の略中央位置において、谷状に折り込みが可能な折込線が形成されていることを特徴とする請求項１、２または３のいずれかに記載の鞄。
【発明の詳細な説明】
【技術分野】
【０００１】
本発明は薄くなるように折りたたむことができる鞄であり、特に皮革を素材に用いた場合であっても折りたたむことができる鞄であって、なおかつ意匠的にも優れた鞄を提供するものである。
【背景技術】
【０００２】
従来から薄くなるように折りたたんで収納する鞄は存在していた。最もよく用いられているのは、図１１に示す百貨店などで使用されるいわゆる紙袋１０１であり、この紙袋は簡単に折りたたむことができるが、折れ線１０２が鞄の表面に出てしまっていた。
【０００３】
また、主にビジネスバッグなどに使用される機能的に薄くなるよう折りたたみ可能に形成された鞄が提供されている。この鞄は折りたたむというよりは、内容量を大きくするようにできる鞄であり、これは、天襠や逆Ｖ字状の内方突出部をもつ側襠や底襠を有し、内容量が小さくてもよい場合には各襠部の両側にある部分をファスナーで係止しており、内容量を大きくする場合にはこのファスナーの係止を開放し、両側襠や底襠、天襠とを広げて使用する。
（例えば特許文献１参照）
【０００４】
【特許文献１】実用新案公告第昭４０−２５５８０号公報(1-2頁、1-2図)
【発明の開示】
【発明が解決しようとする課題】
【０００５】
このように、使用状況によって、内容量を広くする鞄は従来から存在している。しかし、単に機能的に襠部に折り目のある谷折れ部を設けると、鞄を広げたときに数多くの折れ線が形成されており、この折れ線をなくす鞄が嘱望されていた。
また、この折りたたむことができる鞄を、機能的なビジネスバッグだけでなく、女性が海外旅行にハンドバッグとして使用するために大きな旅行鞄内に折りたたんで収納できる鞄であって、皮革で作成されるような、意匠的にも優れた鞄が望まれていた。
【課題を解決するための手段】
【０００６】
そこで、本発明の鞄は、少なくとも上マチ部と下マチ部と表面部と裏面部とを有する鞄であって、上マチ部と下マチ部の左右両端をそれぞれ側面に延長して表面部と裏面部の側縁に接合し、該上マチ部と下マチ部の延長部分を先細り形状に形成されることを特徴とするものである。
【０００７】
また、上マチ部と下マチ部の延長部分の形状を表面側の側縁と裏面側の側縁が等角度で傾斜する先細り形状とし、上マチ部延長部分の先端と下マチ部延長部分の先端が接する形状であることが好ましい。
【０００８】
また、表面部と裏面部の左右両端に、それぞれ側面への延長部分を有し、該延長部分は上マチ部側の側縁と下マチ部側の側縁が等角度で傾斜する先細り形状を有し、表面部延長部分の先端と裏面部延長部分の先端は、それぞれ両側面の上マチ部延長部分と下マチ部延長部分との接点で、接する形状であることが好ましい。
【０００９】
また、下マチ部及び／又は上マチ部に、表面側の側縁と裏面側の側縁の略中央位置において、谷状に折り込みが可能な折込線が形成されていることが好ましい。
【発明の効果】
【００１０】
本発明の鞄によると、鞄を折りたためば、鞄の幅を薄くして保管したり収納したりすることができる。
また、本発明の鞄は側マチがなく、主に上マチ部と下マチ部とを折り曲げることによって、鞄を薄く折りたたむものである。よって、紙袋のようなものと異なり、表面部や裏面部に折れ線が発生することがない。つまり、主に鞄の上マチ部と下マチ部にしか折り曲げないために、鞄の表面や裏面には折り曲げ線は発生しにくい形態となっている。
【００１１】
しかも、上マチ部の谷折れは鞄を通常に使用している場合でもある程度、折れ曲がって形成されている。それに下マチ部は鞄内に手荷物などを入れると手荷物の重量により、下マチ部を下方向に押し下げる力が働き、下マチ部の折り曲げ状態を通常使用状態にするように力がかかる。
よって、上マチ部と下マチ部とを谷状に折り曲げつつ、表面部と裏面部を折り曲げることなく、鞄を薄く折りたたむことができる鞄であるが、折りたたんだ形態による折れ線が通常使用時に、表面部や裏面部においては形成されることがなく、折れ線が鞄の表面に目立たない形態となっている。
【００１２】
請求項４記載の発明によると、下マチ部を折り曲げる場合にこの折り線に沿って折り曲げると折り返しやすくなる。
また、鞄を折りたたんだ場合に不必要な折れ線がつくのを防止することができる。
【００１３】
しかも、本発明は従来折りたたみ機能をもつ鞄にはなかった天然素材の皮革を素材とする製品であり、鞄の両側面において、各縁部がＸ字状に形成されて、それが一定方向に折りたたまれていく状態は、紙風船のような折りたたみ構造であり、特に天然皮革製の鞄を折りたたむことができるために、意匠的にも優れている鞄を提供することができる。
【発明を実施するための最良の形態】
【００１４】
本発明の鞄を図面に沿って説明する。
図１は本発明の鞄の表面側の斜視図。図２〜図５は本発明の鞄の部品斜視図であり、図６が各部品の取付図である。
【００１５】
本発明の鞄１は、上マチ部３、下マチ部４、表面部５、裏面部６から形成されており、側マチがないように形成されている。
図１に示すように、上マチ部３と表面部５、裏面部６との間に把手部２が取り付けられており、使用者が鞄１の内部にものを入れ、この把手部２で使用者が手にとって携行する。
【００１６】
上マチ部３を図２に示している。
上マチ部３は通常の長方形の形状のものではなく、両端部３１、３１が先細りの形状となっており、横長の六角形のような形状となっている。
上マチ部３にはファスナー３２が一方の端部３１からもう一方の端部３１にかけて取り付けられ、開閉可能に形成されている。上マチ部３は表地３３と裏地３４とからなっており、各々あらかじめ作成された型紙にそって裁断されて形成される。上マチ部３の両端３１、３１にはファスナー止３５、３５が形成されており、ファスナー３２が必要以上に移動することを防止している。このファスナー３２を開閉して鞄１に開閉させるものである。ここで、一方の端部３１にはファスナーを閉じた状態に係止させる留めピン３６が形成されている。この留めピン３６にファスナーの引き手延長部３７にある開孔箇所を通して錠前で係止している。
【００１７】
表地３３はベイビーバッファローという生まれて半年程度の牛革を使用している。このベイビーバッファローという素材は柔らかく、折れ曲がりの線がつきにくい性質をもっており、鞄を折りたたむ場合に、容易に折りたたみが可能であるほど柔らかい革素材である。
また、裏地３４は麻を使用している。麻は形状的に比較的硬い性質をもつ素材である。本発明の鞄は折りたたんだり、通常の形に戻して使用したりするので、使用時に型崩れしないように比較的硬い素材である麻が裏地として配置されている。
通常、表地と裏地の中にペーパー状の芯材を入れている場合が多いが、本実施例では芯材を使用していない。この芯材を使用すると、使用時に形状が安定するものの、本発明のような折りたたみ様の鞄１において、折りたたみ時に芯材が折り曲げられ、かえって使用時に元の形状に安定しないため、裏地３４に硬い麻を使用することだけにしている。
【００１８】
また、上マチ部３はファスナー３２を底として谷状に折り曲げられながら使用される。図１に示すように本実施例において、把手部２が上マチ部３と表面部５、裏面部６との縁部に挟み込んで取り付けられている。このように、把手部２が上マチ部と表面部とに挟持されているため、使用者が把手部２をもって使用すると、把手部２の取り付け箇所、つまり上マチ部と表面部との境目である縁部が上方を向く形状となる。よって、把手部２を使用者が携行すると、把手部２の縁部との取付位置が上方に引っ張られるようになる。このように形成されているために、上マチ部がファスナー３２を底として谷状に折り曲げられている。
【００１９】
下マチ部４を図３において示す。
下マチ部４も両方の側方に端部４１、４１が形成されており、先細りになるように形成されている。下マチ部４も表地４２と裏地４３とからなっており、上マチ部３と同様に表地４２にベイビーバッファローが使用され、裏地４３に麻が使用されている。
この表地４２と裏地４３との間に補強材４４が配置されている。この補強材４４はウレタンからなるものである。補強材は鞄１の底に位置する場所に取り付けられるものであり、鞄１が地面など表面が不安定な場所に置かれても底が型崩れなどしないように、補強されている。この取り付けはミシンにより縫い付けられて取り付けられている。そのウレタンの補強材４４は中央付近で直線状に補強材４４をいれずに形成されており、谷状に折りたたみ可能になるよう折り線４６が形成されている。そして補強材４４で補強した部分に底当て４５を取り付けている。鞄１の底の表面の革を保護するためである。
【００２０】
表面部５を図４に、裏面部６を図５に示す。
表面部５も裏面部６も両側方にある端部５６、５６、６４、６４が先細りした形状をもつものであるため、横長の六角形のような形状をしている。
表面部５と裏面部６も、表地５１、６１と裏地５２、６２から形成されており、表地５１、６１はベイビーバッファローを使用しており、裏地５２、６２は麻を使用している。
表面部５には係止ベルト５３が取り付けられている。係止ベルト５３は表面部５と裏面部６とを一定以上、間隔が広がらないように係止するベルトである。
係止ベルト５３には表面部５に縫着されたバックル５４に取り付けられるものであるが、係止ベルト５３の先端に永久磁石からなる留め金５５が形成されている。表面部５にはバックル５４が形成されているが、実際には裏面部６に形成する留め金に係合したり解除したりすることにより、係止ベルト５３を係止したり解除したりしている。
これと同じように裏面部６にも留め金５５を係止するための係止金６３が形成されている。この係止金６３にあるピンを留め金５５の孔に通して、両者が磁石の係止作用により係止される。
【００２１】
図６に上マチ部３、下マチ部４、表面部５、裏面部６を取り付ける状態を示す。
この鞄１は側マチを有しない形態となっているため、上マチ部３、下マチ部４、表面部５、裏面部６を取り付ければ鞄１がほぼ形成される。ここで図６に示すように、上マチ部３の左側先端部３１と表面部左側先端部５６とを合わせて、各々先端部３１、４１、５６、６４を縫着している。
ここで各々先端部３１、４１、５６、６４は内方に折り込まれて、鞄１の内側で縫着されている。このとき、縫着箇所でほつれなどが生じないように縁テープ１１があてられてから縫着されている。
縫着する断面を図７に示す。図７に示すように、表地３３と裏地３４、表地５１と裏地５２とを縫着する場合に、一旦鞄の内側に折り曲げている。そして縁テープ１１を両者の折り曲げた部分に貼りつけ、その縁テープ１１越しに縫い付けて縫着している。図７では、縫着している部分を縫着線１２で示している。
このような縫着方法で上マチ部３、下マチ部４、表面部５、裏面部６とを縫着して取り付けている。
【００２２】
上マチ部３などを縫着して結合させるときに、把手部２、２も取り付けられる。図示しないが、上マチ部３と表面部５若しくは裏面部６とを合わせるときに挟み込んだ部分全体を一度縫着し、上マチ部３と表面部５若しくは裏面部６とを合わせるときの縁付近で二度目の縫着をし、縁テープ１１による縫着をするときにも把手部２を挟み込んで三度目の縫着をしている。このように、把手部２が抜けないように、３度も縫着している。
【００２３】
次に本発明の使用態様について説明する。
鞄１を使用する場合、通常の使用においては、普通の鞄と同じように把手部分２をもって鞄１を携行して使用することができる。鞄１を開閉するときは、係止ベルト５３の留め金５５、６３をはずし、ファスナー３２の開閉により鞄１を開閉して、鞄内に所持品などを入れることができる。このように、鞄１を使用する場合には、通常の鞄と同様に使用することができる。
【００２４】
また、本発明の鞄１を折りたたむ場合には、図８に示すように下マチ部４の折り線４６に沿って、下マチ部４を谷状に折りたたむ。つまり、下マチ部４の折り線４６を谷の底として、谷状に下マチ部４を折りたたんでいる。同様にファスナー３２を谷の底として、上マチ部３が折り曲げられているが、この上マチ部３についてファスナー３２を谷の底として折りたたむ。このようにすると、上マチ部３と下マチ部４の両方が谷状に折りたたまれて鞄１が扁平な形状となるように折りたたまれる。
上マチ部３は上述したように、図１に示すように通常の使用状態でもファスナー３２を谷の底として谷折りになっているが、鞄１全体を薄く折りたたむ場合には、図９に示すように通常の谷折り状態よりも薄くなるように折りたたんでいる。
【００２５】
この鞄１の薄く折りたたむ状態を、鞄１の側面に注目して説明する。
図１０に示すように通常使用時の鞄１の側面は、上マチ部３の端部３１と下マチ部４の端部４１、表面部５の端部５６、裏面部６の端部６４の各々の頂点を一点に重ね合わせるように縫着されている。
図１０に示すように、上マチ部３端部３１の表面部側縁部７と裏面側縁部８、下マチ部端部４１の表面側縁部９と裏面側縁部１０がＸ字状に形成されている。
【００２６】
図１０に示されるように鞄１の両側面において、各縁部７、８、９、１０がＸ字状に形成されている。これは、上マチ部３、下マチ部４、表面部５、裏面部６の延長部分である端部の頂点を合わせているために、端部を合わせた各縁部７、８、９、１０が、一点に集中するようにＸ字状に形成されることになる。
このＸ字状に形成された各縁部７、８、９、１０が図１０に示すように、Ａ方向に折りたたまれていく。これは図８などで示す折りたたみと同じように薄く折りたたむ状態である。この側面から見た鞄１の折りたたむ状態が紙風船を折りたたむような折りたたみ構造と似たものである。しかも、特に天然皮革製の鞄１を折りたたむことができるために、意匠的にも優れている鞄１を提供することができることになる。
【００２７】
鞄１の通常使用時には、各縁部７、８、９、１０がＸ字状に形成されているが、鞄１を折りたたむ場合に上マチ部３と下マチ部４の両者が谷状に折りたたまれるため、各縁部７、８、９、１０はそれぞれＡ方向に折りたたまれる。
ここで、図９に示すように折りたたまれた鞄１に示されるように、折りたたまれた状態で鞄１の表面部５や裏面部６の表面にはなんら折り線が形成されることなく、折りたたまれることになる。
図１１には従来から薄く折りたたむことができる紙袋１０１を示している。この紙袋１０１は折りたたむ場合に下面を折って上方向にたたみ込むために表面に折れ線１０２が形成されてしまう。
その反面、本発明の鞄１により、表面部５や裏面部６に折れ線が表れることがない鞄１が提供される。
【００２８】
その一方で、折れ線は上マチ部３と下マチ部４とに表れる。しかしながら、上マチ部３は図１に示されるように使用時にもある程度折り曲げて使用されるものである。そして下マチ部４についても、鞄１内に一定の手荷物などを入れると、その手荷物などの荷重により下マチ部４の折りたたみ状態を広げる作用をもち、通常の使用状態となる。
よって、折れ線が上マチ部３と下マチ部４とにつくものの、鞄１を使用するときに、折れ線が目立つことなく鞄１を使用できる。
この作用は表地３３、４２、５１、６１の素材が比較的柔らかい素材であるベイビーバッファローを使用することにより、より高い効果を得ることができる。
【図面の簡単な説明】
【００２９】
【図１】図１は、本発明の鞄の斜視図である。
【図２】図２は、本発明の上マチ部の分解斜視図である。
【図３】図３は、本発明の下マチ部の分解斜視図である。
【図４】図４は、本発明の表面部の分解斜視図である。
【図５】図５は、本発明の裏面部の分解斜視図である。
【図６】図６は、本発明の鞄の各部を取り付ける状態を示す分解斜視図である。
【図７】図７は、本発明の鞄の各部を取り付ける縫着箇所を示した断面図である。
【図８】図８は、本発明の下マチ部が折り曲げられる状態を示す斜視図である。
【図９】図９は、本発明の鞄が折りたたまれている状態を示す斜視図である。
【図１０】図１０は、本発明の側面を示す左側面図である。
【図１１】図１１は、従来技術である紙袋を示す斜視図である。
【符号の説明】
【００３０】
１…鞄、
２…把持部、
３…上マチ部、
４…下マチ部、
５…表面部、
６…裏面部、
７…上マチ部と表面部との縁部、
８…上マチ部と裏面部との縁部、
９…下マチ部と表面部との縁部、
１０…下マチ部と裏面部との縁部、
１１…縁テープ、
１２…縫着線、
３１…端部、
３２…ファスナー、
３３…表地、
３４…裏地、
３５…ファスナー止、
３６…留めピン、
３７…引き手延長部、
４１…端部、
４２…表地、
４３…裏地、
４４…補強材、
４５…底あて、
４６…折り線、
５１…表地、
５２…裏地、
５３…係止ベルト、
５４…バックル、
５５…留め金、
５６…端部、
６１…表地、
６２…裏地、
６３…係止金、
６４…端部、
１０１…紙袋
１０２…折れ線
【図１】
2005040530.tif 000003
【図２】
2005040530.tif 000004
【図３】
2005040530.tif 000005
【図４】
2005040530.tif 000006
【図５】
2005040530.tif 000007
【図６】
2005040530.tif 000008
【図７】
2005040530.tif 000009
【図８】
2005040530.tif 000010
【図９】
2005040530.tif 000011
【図１０】
2005040530.tif 000012
【図１１】
2005040530.tif 000013